【手続補正書】
【提出日】平成16年1月16日(2004.1.16)
【手続補正１】
【補正対象書類名】明細書
【補正対象項目名】特許請求の範囲
【補正方法】変更
【補正の内容】
【特許請求の範囲】
【請求項１】
表示領域を有し、導通材が含まれたシール材によって貼り合わされた一対の基板と、
前記一対の基板のうち一方の基板において、前記表示領域の外側で、前記表示領域を挟んで互に対向する位置に設けられた第１の配線引出し領域と第２の配線引き出し領域と、
前記シール材と第１の領域において交差し、前記第１の配線引出し領域へ延びる第１の配線と、
前記シール材と第２の領域において交差し、前記第２の配線引出し領域へ延びる第２の配線と、
前記第１の領域に対して前記表示領域を挟んで対向する第３の領域において前記シール材と交差する第１のダミーパターンと
を有することを特徴とする液晶装置。
【請求項２】
前記第１の配線同士が隣り合い、前記第２の配線同士が隣り合って設けられることを特徴とする請求項１に記載の液晶装置。
【請求項３】
前記第１の配線と第２の配線とは交互に並んで設けられることを特徴とする請求項１に記載の液晶装置。
【請求項４】
前記第１のダミーパターンが前記シール材と交差する面積は、前記第１の領域において前記第１の配線が前記シール材と交差する面積とほぼ等しいことを特徴とする請求項１乃至３のいずれか一項に記載の液晶装置。
【請求項５】
前記第１のダミーパターンは、前記第１の領域内に存在する複数の第１の配線の個々に対応した位置に形成された直線状の複数のダミーパターン要素の集合によって形成されることを特徴とする請求項４に記載の液晶装置。
【請求項６】
表示領域を有し、導通材が含まれたシール材によって貼り合わされた一対の基板と、
前記シール材が延伸する方向に前記シール材と重なって延伸する配線と、
前記配線が前記シール材と重なる領域の少なくとも一部に対して前記表示領域を挟んで対向する第１の領域において前記シール材と交差する第１のダミーパターンと、
を有することを特徴とする液晶装置。
【請求項７】
前記第１のダミーパターンは、直線状の複数のダミーパターン要素の集合によって形成されることを特徴とする請求項６に記載の液晶装置。
【請求項８】
液晶装置と、該液晶装置を収容する筐体とを有する電子機器において、前記液晶装置は請求項１乃至７のいずれか一項に記載した液晶装置によって構成されることを特徴とする電子機器。
【手続補正２】
【補正対象書類名】明細書
【補正対象項目名】００１６
【補正方法】変更
【補正の内容】
【００１６】
【課題を解決するための手段】
上記の目的を達成するため、本発明に係る液晶装置は、表示領域を有し、導通材が含まれたシール材によって貼り合わされた一対の基板と、前記一対の基板のうち一方の基板において、前記表示領域の外側で、前記表示領域を挟んで互に対向する位置に設けられた第１の配線引出し領域と第２の配線引き出し領域と、前記シール材と第１の領域において交差し、前記第１の配線引出し領域へ延びる第１の配線と、前記シール材と第２の領域において交差し、前記第２の配線引出し領域へ延びる第２の配線と、前記第１の領域に対して前記表示領域を挟んで対向する第３の領域において前記シール材と交差する第１のダミーパターンとを有することを特徴とする。


【手続補正３】
【補正対象書類名】明細書
【補正対象項目名】００１７
【補正方法】変更
【補正の内容】
【００１７】
この構成の液晶装置によれば、配線がシール材と交差し、その領域に向かい合う部分のシール材において第１のダミーパターンが交差する。


【手続補正４】
【補正対象書類名】明細書
【補正対象項目名】００１８
【補正方法】変更
【補正の内容】
【００１８】
この構成により、配線がシール材の導通領域だけを横切る構造の従来の液晶装置の場合に比べて、基板間隔、すなわちセルギャップを液晶パネルの全面にわたって均一に維持でき、これにより、液晶表示品質を高く維持できる。


【手続補正５】
【補正対象書類名】明細書
【補正対象項目名】００１９
【補正方法】変更
【補正の内容】
【００１９】
また、前記第１の配線同士が隣り合い、前記第２の配線同士が隣り合って設けられることを特徴とする。


【手続補正６】
【補正対象書類名】明細書
【補正対象項目名】００２０
【補正方法】変更
【補正の内容】
【００２０】
また、前記第１の配線と第２の配線とは交互に並んで設けられることを特徴とする。


【手続補正７】
【補正対象書類名】明細書
【補正対象項目名】００２１
【補正方法】変更
【補正の内容】
【００２１】
また、本発明の液晶装置の別の態様では、前記第１のダミーパターンが前記シール材と交差する面積は、前記第１の領域において前記第１の配線が前記シール材と交差する面積とほぼ等しいことを特徴とする。


【手続補正８】
【補正対象書類名】明細書
【補正対象項目名】００２２
【補正方法】変更
【補正の内容】
【００２２】
こうすれば、シール材に対するダミーパターン側の面積状況と配線側の面積状況とが等しくなるので液晶パネルのセルギャップをより一層均一に維持できる。


【手続補正９】
【補正対象書類名】明細書
【補正対象項目名】００２３
【補正方法】変更
【補正の内容】
【００２３】
前記第１のダミーパターンは、前記第１の領域内に存在する複数の第１の配線の個々に対応した位置に形成された直線状の複数のダミーパターン要素の集合によって形成されることを特徴とする。


【手続補正１０】
【補正対象書類名】明細書
【補正対象項目名】００２４
【補正方法】変更
【補正の内容】
【００２４】
このように構成しても、シール材に対するダミーパターン側の面積状況と配線側の面積状況とが等しくすることができるので液晶パネルのセルギャップをより一層均一に維持できる。


【手続補正１１】
【補正対象書類名】明細書
【補正対象項目名】００２５
【補正方法】変更
【補正の内容】
【００２５】
また、この場合、ダミーパターンは対向する配線とほぼ等しい幅を持つように形成しても良い。


【手続補正１２】
【補正対象書類名】明細書
【補正対象項目名】００２６
【補正方法】変更
【補正の内容】
【００２６】
このように構成すれば、液晶パネルのセルギャップをより均一にできる。


【手続補正１３】
【補正対象書類名】明細書
【補正対象項目名】００２７
【補正方法】変更
【補正の内容】
【００２７】
また、本発明においては、一対の基板のうち一方の基板にダミーパターンを設けているが、必要に応じて他方の基板の適切な位置にダミーパターンを設けても良い。


【手続補正１４】
【補正対象書類名】明細書
【補正対象項目名】００２８
【補正方法】変更
【補正の内容】
【００２８】
このように構成しても液晶パネルのセルギャップをより均一にできる。


【手続補正１５】
【補正対象書類名】明細書
【補正対象項目名】００２９
【補正方法】変更
【補正の内容】
【００２９】
次に、本発明に係る他の液晶装置は、表示領域を有し、導通材が含まれたシール材によって貼り合わされた一対の基板と、前記シール材が延伸する方向に前記シール材と重なって延伸する配線と、前記配線が前記シール材と重なる領域の少なくとも一部に対して前記表示領域を挟んで対向する第１の領域において前記シール材と交差する第１のダミーパターンと、を有することを特徴とする。


【手続補正１６】
【補正対象書類名】明細書
【補正対象項目名】００３０
【補正方法】変更
【補正の内容】
【００３０】
液晶装置によっては、配線がシール材の外側に形成されるものや、配線がシール材の内側であって表示領域の外側に形成されるものがある。


【手続補正１７】
【補正対象書類名】明細書
【補正対象項目名】００３１
【補正方法】変更
【補正の内容】
【００３１】
配線がシール材の外側に形成される場合には、配線がシール材と重なって延伸する可能性は低いと考えられる。


【手続補正１８】
【補正対象書類名】明細書
【補正対象項目名】００３２
【補正方法】変更
【補正の内容】
【００３２】
これに対し、配線がシール材の内側であって表示領域の外側に形成される場合には、配線がシール材の延伸する方向に伸び、かつ配線と重なって設けられる可能性が高い。


【手続補正１９】
【補正対象書類名】明細書
【補正対象項目名】００３３
【補正方法】変更
【補正の内容】
【００３３】
このように、配線がシール材と重なる場合、その領域に向かい合うシール材の部分領域にダミーパターンを設ければ、液晶パネルの基板間隔、すなわちセルギャップを液晶パネルの全面にわたって均一に維持でき、これにより、液晶表示品質を高く維持できる。


【手続補正２０】
【補正対象書類名】明細書
【補正対象項目名】００３４
【補正方法】変更
【補正の内容】
【００３４】
また、上述の液晶装置において、前記第１のダミーパターンは、直線状の複数のダミーパターン要素の集合によって形成されることを特徴とする。


【手続補正２１】
【補正対象書類名】明細書
【補正対象項目名】００３５
【補正方法】変更
【補正の内容】
【００３５】
このように構成しても、シール材に対するダミーパターン側の面積状況と配線側の面積状況とが等しくすることができるので液晶パネルのセルギャップをより一層均一に維持できる。


【手続補正２２】
【補正対象書類名】明細書
【補正対象項目名】００３６
【補正方法】変更
【補正の内容】
【００３６】
次に、本発明に係る電子機器は、液晶装置と、該液晶装置を収容する筐体とを有する電子機器において、前記液晶装置は上記した構成の液晶装置によって構成されることを特徴とする。


【手続補正２３】
【補正対象書類名】明細書
【補正対象項目名】００３７
【補正方法】変更
【補正の内容】
【００３７】
この電子機器によれば、内蔵する液晶装置において、液晶パネルの基板間隔、すなわちセルギャップを液晶パネルの全面にわたって均一に維持できる。


【手続補正２４】
【補正対象書類名】明細書
【補正対象項目名】００３８
【補正方法】変更
【補正の内容】
【００３８】
これにより、液晶表示品質を高く維持できるので、電子機器に関する情報を常に鮮明に視認できる。